(57)【要約】【課題】  コンデンサ固定板とコンデンサとの回動を防止し、且つコンデンサの取付装置を容易に取り付け固定できるとともに強固な固定を達成できるコンデンサの取付装置を提供する。【解決手段】  コンデンサの胴部に回転可能に嵌められ、外周面に突起を備えた環状体と、コンデンサの外部端子を挿通する端子孔と、開口端の一部を切り欠いた挿通部および該挿通部と連接した収納部を備えた蓋体と、前記環状体の外面又は蓋体の内面に設けられた傾斜部と、前記蓋体又はコンデンサに設けられた前記蓋体とコンデンサの回動を防止する回動制御手段と、前記環状体又は蓋体の外周面に形成されたコンデンサ固定板への取付部とを有するコンデンサの取付装置。【選択図】  図３
2005294573.tif 000002
【特許請求の範囲】
【請求項１】
コンデンサの胴部に回転可能に嵌められ、外周面に突起を備えた環状体と
コンデンサの外部端子を挿通する端子孔と、開口端の一部を切り欠いた挿通部および該挿通部と連接した収納部を備えた蓋体と、
前記環状体の外面又は蓋体の内面に設けられた傾斜部と
前記蓋体又はコンデンサに設けられた前記蓋体とコンデンサの回動を防止する回動制御手段と
前記環状体又は蓋体の外周面に形成されたコンデンサ固定板への取付部とを有し
コンデンサに環状体をはめ込み、前記蓋体の挿通部と環状体の突起を位置合わせして被せ、前記回動制御手段によりコンデンサと蓋体が回動を制御されるとともに前記環状体の外面又は蓋体の内面に設けられた傾斜部により環状体が締め付けられ、前記環状体を回転させて該環状体の突起を蓋体の挿通部から収納部に移動させることで、前記蓋体によりコンデンサに環状体を締め付け固定したコンデンサの取付装置。
【請求項２】
コンデンサの胴部に回転可能に嵌められ、コンデンサの外部端子側開口端の一部を切り欠いた挿通部および該挿通部と連接した収納部を備えた環状体と
コンデンサの外部端子を挿通する端子孔と、内周面に突起を備えた蓋体と
前記環状体の外面又は蓋体の内面に設けられた傾斜部と
前記蓋体又はコンデンサに設けられた前記蓋体とコンデンサの回動を防止する回動制御手段と
前記環状体又は蓋体の外周面に形成されたコンデンサ固定板への取付部とを有し
コンデンサに環状体をはめ込み、前記蓋体の突起と環状体の挿通部を位置合わせして被せ、
前記回動制御手段によりコンデンサと蓋体が回動を制御されるとともに前記環状体の外面又は蓋体の内面に設けられた傾斜部により環状体が締め付けられ、
前記環状体を回転させて該蓋体の突起を環状体の挿通部から収納部に移動させることで、前記蓋体によりコンデンサに環状体を締め付け固定したコンデンサの取付装置。
【請求項３】
前記環状体の外周面に該環状体を回転させるための凸部を設けた請求項１又は２に記載のコンデンサの取付装置。
【発明の詳細な説明】
【技術分野】
【０００１】
この発明は、車載用など振動を伴う移動物体上で用いられる電解コンデンサや電気２重層コンデンサなどの各種コンデンサの取付装置に関する。
【背景技術】
【０００２】
従来のコンデンサの取付装置には、コンデンサ固定板をコンデンサの外部端子側より被せ、コンデンサの封口部材又は前記コンデンサ固定板の一方に突起及び他方に凹部を設け嵌合させて且つ該コンデンサ固定板と封口部材とをネジ止めすることで、コンデンサと固定板との回動を防止するとともに固定板にコンデンサを強固に固定したものが知られている（特許文献１）。
また、コンデンサの胴部にコンデンサ固定板への取付部を備えた環状体をはめ込み、該環状体状に締め付けリングをはめ込み圧縮してコンデンサを固定し、前記環状体の取付部をコンデンサ固定板にネジ止めにて固定したものが知られている（特許文献２）。
【０００３】
【特許文献１】実公平３−５３４７１号公報
【特許文献２】特開平７−２８３０６８号公報
【発明の開示】
【発明が解決しようとする課題】
【０００４】
特許文献１のように、該コンデンサ固定板と封口部材とをネジ止めにて固定した場合、車載など振動を伴う移動物体上で用いられた場合には、その振動が封口部材のネジ穴に加わり、大きな振動が加わった場合には、前記ネジ穴が破損しやすく、またこの大きな振動に対処するためにネジをきつく締めるには、封口部材の強度を高めなければならず、樹脂板などからなる封口部材ではその強度を高めるのは難しい。
また特許文献２のように、コンデンサの胴部に環状体をはめ込み、該環状体状に固定リングをはめ込み圧縮してコンデンサを固定することで、固定強度を高めることができるが、振動などによりコンデンサと環状体との間で回動し、コンデンサ固定板とコンデンサの外部端子との位置ずれが生じてしまう問題があった。
【０００５】
またコンデンサは取付装置が取り付けられた状態で納品される。この際にコンデンサの外部端子とブスバーの位置及び取付装置の取付部とコンデンサ固定板の位置が制御されていることが望まれている。
【０００６】
よって、本発明は上記した問題点に着目してなされたもので、コンデンサ固定板とコンデンサとの回動を防止し、コンデンサの外部端子と取付装置のコンデンサ固定板への取付部との位置を制御するとともに、コンデンサの取付装置を容易に取り付け固定できるとともに強固な固定を達成できるコンデンサの取付装置を提供することを目的としている。
【課題を解決するための手段】
【０００７】
上記課題を解決するために、本発明のコンデンサの取付装置は、コンデンサの胴部に回転可能に嵌められ、外周面に突起を備えた環状体とコンデンサの外部端子を挿通する端子孔と、開口端の一部を切り欠いた挿通部および該挿通部と連接した収納部を備えた蓋体と、前記環状体の外面又は蓋体の内面に設けられた傾斜部と、前記蓋体又はコンデンサに設けられた前記蓋体とコンデンサの回動を防止する回動制御手段と、前記環状体又は蓋体の外周面に形成されたコンデンサ固定板への取付部とを有し、コンデンサに環状体をはめ込み、前記蓋体の挿通部と環状体の突起を位置合わせして被せ、前記回動制御手段によりコンデンサと蓋体が回動を制御されるとともに前記環状体の外面又は蓋体の内面に設けられた傾斜部により環状体が締め付けられ、前記環状体を回転させて該環状体の突起を蓋体の挿通部から収納部に移動させることで、前記蓋体によりコンデンサに環状体を締め付け固定したことを特徴としている。
これによると、コンデンサとコンデンサ取付部を有する蓋体との位置が回動制御手段により固定されるため、コンデンサの外部端子とコンデンサ取付部との位置を容易に制御でき、外部端子を接続するブスバー及びコンデンサ取付部を固定するコンデンサ固定板との位置にて形成できる。そして、このコンデンサの固定をコンデンサの胴部に回転可能に嵌められた環状体に蓋体を被せ、環状体のコンデンサの胴部での回転により、環状体の突起を蓋体の挿通部から収納部に移動させることで、前記蓋体をコンデンサに回動防止状態でコンデンサの胴部にての固定を容易に達成でき、総じてコンデンサの外部端子とコンデンサ取付部との位置制御及び強固な固定を可能となる。
なお、コンデンサ取付部を蓋体に設けたものの他に、該取付部を環状体に設けてもよい。この場合は、環状体を回転させて蓋体の収納部に移動させた時に前記コンデンサの取付部位置がコンデンサ固定板に対応するように調整する必要がある。
【０００８】
また、前記環状体の外周面に代えて、蓋体の内周面に突起を設け、前記蓋体の挿通部及び収納部に代えて、環状体のコンデンサ外部端子側の開口端を切り欠いて挿通部及び該挿通部と連接した収納部を設け、コンデンサに環状体をはめ込み、前記蓋体の突起と環状体の挿通部を位置合わせして被せ、前記回動制御手段によりコンデンサと蓋体が回動を制御されるとともに前記環状体の外面又は蓋体の内面に設けられた傾斜部により環状体が締め付けられ、前記環状体を回転させて該蓋体の突起を環状体の挿通部から収納部に移動させることで、前記蓋体によりコンデンサに環状体を締め付け固定してもよい。
【０００９】
また、前記環状体の外周面に該環状体を回転させるための凸部を設け、蓋体によるコンデンサの締め付け固定を行う際に環状体を容易に回転させることができ、本発明のコンデンサの取付装置の取り付けが容易となる。
【発明の効果】
【００１０】
以上、本発明のコンデンサの取り付け装置によると、コンデンサ固定板とコンデンサとの回動を防止してコンデンサの外部端子と取付装置のコンデンサ固定板への取付部との位置を制御し、且つコンデンサの取付装置を容易に取り付け固定できるとともに強固な固定を達成できる。
【発明を実施するための最良の形態】
【００１１】
以下、本発明の実施の形態を図面に示した実施例を参照して詳細に説明する。図１は実施例のコンデンサの胴部に嵌められる環状体を示したものであり、（ａ）は環状体の側面図、（ｂ）は環状体の上面図であり、図２は実施例のコンデンサに被せられる蓋体１０を示したものであり、
（ａ）は蓋体の側面図、（ｂ）は蓋体の上面図、（ｃ）は蓋体の底面図であり、図３は実施例におけるコンデンサへの取付装置を取り付け工程を示したものであり、図４は実施例の取付装置を取り付けたコンデンサをコンデンサ固定板１８に取り付けた状態を示したものであり、図５は蓋体をコンデンサに被せた際の蓋体の端子孔及びコンデンサの外部端子形状を示したものである。
【００１２】
（実施例）
この実施例の取付装置で固定されるコンデンサは、比較的大型のものであるが、本発明は大型のコンデンサに限定されるものではない。このコンデンサは、コンデンサ素子を収納する有底円筒状の外装ケース２と開口部を封口する封口部材と、該封口部材に外部回路との接続のために外部端子３が設けられている。そして、外装ケース２には、コンデンサ素子を収納して封止する際に封口部材を固定するための横溝４が形成されている。
【００１３】
この取付装置には、図１及び図２に示すように固定すべきコンデンサ１の外径に対応する内径をもつ環状体５と、該環状体５の外径に対応する内径を有し、コンデンサ１の外部端子３を挿通する端子孔１７を備えた蓋体１０が設置されている。この環状体５及び蓋体１０は、軽量で機械的な強度をもち、かつ絶縁性を有する材料として合成樹脂を一体成形したものから構成されている。
【００１４】
環状体５は、図１（ａ）および（ｂ）に示すように、コンデンサ１の外径に対応する内径を有し、且つその一部には、コンデンサ１の軸方向にスリット７が形成されている。このスリット７により、環状体５の内径が拡げられてコンデンサ１の胴部に嵌められる。環状体５の内周面には、コンデンサ１の外周面に形成された横溝４と嵌合する横溝用突起８が環状に形成されている。環状体５の外周面には四角柱状の突起６が形成されている。また、コンデンサ１の底面側には、この環状体５をコンデンサ１の胴部にはめた際に回転の補助をなす凸部９が形成されている。
【００１５】
蓋体１０は、図２（ａ）、（ｂ）及び（ｃ）に示すように、前記環状体５の外径に対応する内径を有する筒部とコンデンサ１の外部端子側の面を覆う蓋部からなり、コンデンサ固定板１８への取付部１２が外周面に形成されている。この取付部１２には、コンデンサ固定板１８のネジ穴に適合するネジ穴１３が形成されている。蓋体１０の内周面は、開口端側より順次傾斜状に形成され（傾斜部１１）、開口端を切り欠いて挿通部１４が形成されている。この挿通部１４は、前記環状体５の突起６を挿通する大きさで形成されればよく、この実施例では蓋体１０の強度を高めるため挿通部１４を覆って被覆部１５が形成されている。この挿通部１４には、その側面の一部より連接して前記環状体５の突起６を収納する収納部１６が回転方向に形成されている。前記蓋体１０の蓋部には、コンデンサ１の外部端子３とほぼ同径の端子孔１７が形成されている。
【００１６】
次にコンデンサ１への取付法を説明する。
図３（ａ）に示すように、固定すべきコンデンサ１に回転可能に環状体５を嵌める。この際にこの環状体はそのスリット７により内径が拡げられコンデンサの胴部に嵌められるとともに、コンデンサ１の横溝４に環状体５の横溝用突起８が嵌合して保持される。
次に前記環状体５が嵌められたコンデンサ１に蓋体１０を被せる。この際に蓋体１０の端子孔１７がコンデンサ１の外部端子３に合うように被せられている。前記蓋体１０の端子孔１７は外部端子３の外径とほぼ同じ内径を有しているため、これにより該蓋体１０とコンデンサ１との位置が制御される。またこのコンデンサ１と蓋体１０との位置が前記外部端子３と端子孔１７にて制御された状態で、蓋体１０の挿通部１４に環状体５の突起６が位置するようにコンデンサの胴部にて環状体を回転させて前記蓋体１０が被せられる。蓋体１０の端子孔１７を外部端子３の位置に合わせた際に蓋体１０の挿通部１４の位置に環状体５の突起６が来るように予め調整すると好ましい。
【００１７】
図３（ｂ）に示すように、コンデンサ１の胴部に環状体５が嵌められ、その上に蓋体１０が被せられると、蓋体１０の内周面に設けた傾斜部１１により環状体５の外周面が圧着され、これによりコンデンサ１の胴部が締め付けられる。この状態で、環状体５を矢印方向に、該環状体５の回転用凸部９を保持して回転移動させると、図４に示すように環状体５の突起６は蓋体１０の挿通部１４から収納部１６に移動して固定される。これにより、コンデンサ１が環状体５及び蓋体１０からなる取付装置と一体化される。
【００１８】
この取付装置を取り付けたコンデンサ１は、図４に示すように、コンデンサを固定するコンデンサ固定板１８に装着され、該固定板１８のネジ穴１３と蓋体１０に設けられたネジ穴１３にネジ２０及びナットにて該コンデンサ１がコンデンサ固定板１８に固定され、コンデンサ１の各外部端子３がブスバー１９にネジ接続される。
【００１９】
以上、本発明を図面に基づいて説明してきたが、本発明はこれら実施例に限定されるものではなく、本発明の主旨を逸脱しない範囲での変更や追加があっても、本発明に含まれることは言うまでもない。
【００２０】
例えば、実施例では、環状体５に突起６を設け、蓋体１０に該突起６を挿通する挿通部１４及び収納部１６を設けたものを示したが、本発明はこれに限定されるものはなく、蓋体１０の内周面に突起６を設け、環状体５のコンデンサ１の外部端子側の開口端を切り欠いて挿通部１４及び該挿通部１４と連接した収納部１６を設けたものを用いてもよい。
【００２１】
また、実施例では、蓋体１０にコンデンサ取付部１２を設けたものを示したが、本発明はこれに限定されるものはなく、環状体５にコンデンサ取付部１２を設けてもよい。
【００２２】
また、実施例では、図５（ａ）に示すように蓋体１０にはコンデンサ１の外部端子３とほぼ同径の端子孔１７を設けて、蓋体１０とコンデンサ１との回動を防止する回動制御手段としていたが、この他にも、図５（ｂ）に示すように前記蓋体１０の端子孔１７にて外部端子３の移動を規制してもよい。また接着剤を用いても良い。
【図面の簡単な説明】
【００２３】
【図１】本発明における実施例のコンデンサの胴部に嵌められる環状体を示したものである。
【図２】本発明における実施例のコンデンサに被せられる蓋体を示したものである。
【図３】本発明における実施例におけるコンデンサへの取付装置を取り付け工程を示したものである。
【図４】本発明における実施例の取付装置を取り付けたコンデンサをコンデンサ固定板１８に取り付けた状態を示したものである。
【図５】本発明における他の実施例のコンデンサの外部端子と蓋体の端子孔形状を示したものである。
【符号の説明】
【００２４】
１        コンデンサ
２        外装ケース
３        外部端子
４        横溝
５        環状体
６        突起
７        スリット
８        横溝用突起
９        回転用凸部
１０      蓋体
１１      傾斜部
１２      取付部
１３      ネジ穴
１４      挿通部
１５      被覆部
１６      収納部
１７      端子孔
１８      コンデンサ固定板
１９      ブスバー
２０      ネジ
【図１】
2005294573.tif 000003
【図２】
2005294573.tif 000004
【図３】
2005294573.tif 000005
【図４】
2005294573.tif 000006
【図５】
2005294573.tif 000007